(57)【要約】      （修正有）【課題】麻雀ゲ−ム時騒音が発生せず、静かにゲ−ム展開ができ、ゲ−ム卓が無い場合でもゲ−ムできる麻雀具を提供する。【解決手段】麻雀牌を従来の立方体ではなく音の出ない磁気接着式の「板状麻雀牌」に形成する。牌は自立しないためゲ−ム用具の一つである手持盤３を片手に持ち、盤上で牌（パイ）を接着し並べ替えながらトランプ感覚で操作し従来と同様の麻雀ル−ルでゲ−ムを進めて行くものである。【選択図】図２
0003131784.tif 000002
【実用新案登録請求の範囲】
【請求項１】
（イ）牌表面は通常の麻雀模様をプラスチック製品等に印刷したものと牌裏面は鉄に吸着する塩化ビニ−ル製等の磁気板（塩化ビニ−ルと磁気鉄粉等を合成し板状に形成したもの）を合わせ接着した二層構造の薄手の板状麻雀牌。
（ロ）ゲ−ム開始前に全牌を各ゲ−ム者前に並べるのに用いる薄手の鉄板製の牌山盤。
（ハ）ゲ−ム者がゲ−ム展開用持ち牌を片手持ちで作戦操作する薄手の鉄板製の手持盤。
（ニ）ゲ−ム者がゲ−ム展開上不用な手持ち牌を捨てて置く場所及び鳴き牌（チ−、ポン、カンで取った牌）を表示する場所に用いる薄手の鉄板製の捨牌盤。
（ホ）牌山盤及び捨牌盤を膝上の大腿部へ固定するために用いる布製の膝上ベルト。
（ヘ）ゲ−ムの勝ち負けで点数をやりとりする点棒。
（ト）点棒を収納する点棒収納袋。
（チ）ゲ−ム開始時に使用するサイコロ。
（リ）上記八点の用具を収納する麻雀具収納箱。
以上のごとく構成された「携帯無音麻雀具」。
【考案の詳細な説明】
【技術分野】
【０００１】  本考案は、麻雀（マ−ジャン）ゲ−ム時騒音が発生せず静かにゲ−ム展開ができ、ゲ−ム卓が無い場合でもゲ−ムできる麻雀具に関するものである。
【背景技術】
【０００２】  従来、麻雀は四人で麻雀ゲ−ム卓を囲み、立方体の牌をガラガラと音をたててかき混ぜて二段横並びに積み上げ、その牌を順番に取りながらゲ−ムの上がり役（内容）を組み立てていき、その組み立ての速さと役の大きさなどで上がりを競う勝ち負けのゲ−ムである。
【考案の開示】
【考案が解決しようとする課題】
【０００３】  麻雀は、中国伝来の奥の深いゲ−ムであり老若男女を問わず広く親しまれている。近年、お年寄りの老化防止に良いとのことで老人の愛好者も増加している。東京品川区の「いきいき健康マ−ジャン広場」のように自治体で導入も進められている（昭和１８年９月１８日：日本経済新聞）。しかしながらこのゲ−ムは、他人にはうるさい騒音とゲ−ム卓及び卓を設置するスペ−スが必要で場所を特定するなどの欠点であった。
【課題を解決するための手段】
【０００４】  本考案は、騒音が発生せず、マ−ジャン卓を必要とせず食卓などでもでき、卓がなくても膝上を利用してゲ−ムができるものである。そのため麻雀牌を従来の厚手の立方体ではなく音の出ない薄手の板状の磁気接着式「板状麻雀牌」に形成する。ゲ−ムを進めるためゲ−ム用具の一つである「手持盤」を片手に持ち、盤上で牌を接着し並べ替えながらトランプ感覚で上がり役など操作し従来と同様のル−ルでゲ−ムを進めて行くものである。この二つの用具の他に、卓のない場合に膝上の大腿部に取り付け固定して牌山（全部の牌をゲ−ム者の前に２段横並べし順次取って行くための牌の山）を作るための「牌山盤」、同じくゲ−ム卓のない場合に膝上の大腿部に固定してゲ−ムで不用となった牌を捨てる場所及び鳴き牌（食いともいいチ−やポンやカンで相手の捨て牌を取る）を表示する場所としての「捨牌盤」、牌山盤及び捨牌盤を膝上の大腿部に固定するための「膝上ベルト」、得点をやりとりする「点棒」、点棒を収納する「点棒収納袋」、ゲ−ム開始時使用するサイコロ、以上八点の用具を収納する「麻雀具収納箱」、以上の麻雀具一式を形成することにより問題点を解決している。
【考案の効果】
【０００５】  上述のように騒音が無く静かにトランプ感覚でゲ−ムができ、しかもゲ−ム卓が無い場合は椅子に対座し、卓上の変わりに膝の上の大腿部を使用して考案の用具を置きゲ−ムができるようにしたものである。家庭や乗り物など椅子に対座できれば静かに遊ぶことができ、卓を利用する場合は食卓でもどのような卓でも騒音なしでゲ−ム可能である。畳の上でも、床の上でもできるなど、場所を選ばず手軽に静かに音なしでゲ−ム可能で脳の活性化と楽しい娯楽に役立つ。
【考案を実施するための最良の形態】
【０００６】  この考案は次の麻雀用具を形成する。
（イ）板状麻雀牌：板状麻雀牌の表面は普通の麻雀牌と同じ大きさで厚みをなくし薄手の板状としたものである。
（ロ）牌山盤：牌山盤は各人が最初に通常の麻雀と同じくゲ−ム進行用の配牌（牌山から最初に１３個のゲ−ム用基本牌を取ること）及びツモ用牌（ゲ−ム進行上、牌山から順次牌を一個取ること）を各人の前に、２段積み重ね９個と８個の２行横並び（通常は２段積み重ね１７個横並び）の山を作るための牌置き盤である。麻雀卓が無く椅子対座で行う場合に膝上の大腿部に膝上ベルトで固定するか大腿部の衣類にピン止めなどして使用する。
（ハ）手持盤：手持盤は各人が手持ち牌でゲ−ムを進めるための手持ち麻雀牌操作盤である。片手で持ち、配牌及びツモ牌の手持ち牌を盤に接着させ並べ替えながらトランプ感覚で操作しゲ−ム戦略を進めて行くための操作盤である。
（ニ）捨牌盤：捨牌盤は各人が捨牌（ゲ−ム進行上、不用牌を一個捨てること）や鳴き牌（食い牌とも言い相手の捨牌をチ−、ポン、カンで取ること）を置く場所として使用する盤である。麻雀卓が無い場合で椅子対座で行う場合に膝上大腿部に膝上ベルトで固定するか大腿部の衣類にピン止めして使用する。ゲ−ム終了後は全牌を接着固定して並べてみて総個数確認のうえ収納するための収納兼用盤である。
（ホ）膝上ベルト：膝上ベルトはゲ−ム卓が無く椅子対座でゲ−ムをする場合に「牌山盤」・「捨牌盤」を膝上の大腿部の上に固定するためのベルトである。
（ヘ）点棒：点棒はゲ−ムで上がりによる勝ち負けを点数でやり取りする点棒である。
（ト）点棒収納袋：点棒収納袋は点棒を収納する袋である。
（チ）サイコロ：サイコロは場所決め、親決めなどゲ−ム進行用のサイコロである。
（リ）麻雀具収納箱：麻雀具収納箱は上記の品目を一括収納する箱である。
【実施例】
【０００７】以下、図面に従って実施例を説明する。
（イ）板状麻雀牌：麻雀牌は普通の麻雀牌と同じ大きさ（縦２６・横１９ミリ程度）で厚さ２、３ミリ程度の板状としたものである。構造は表面を通常の麻雀牌模様を印刷したプラスチック製品等のものと、裏面に磁気化したマグネット板（塩化ビニ−ルマグネット等）を接着させ薄手の二層構造で板状に形成されたものである。必要数は、万子牌・索子牌・筒子牌の各１から９までの９種を各４個、風牌は東・南・西・北を各４個、三元牌は白・發・中を各４個、花牌は春・夏・秋・冬を４個の合計１４０個である。
（ロ）牌山盤：牌山盤は各人がゲ−ム開始前にゲ−ム用の牌数１３６個（通常花牌を除外してゲ−ム）を各人の前に４等分（３４個分）して牌の山を作る盤である。牌山は２段重ね１７個横並び必要であるが盤の長さが大きくなるので２段重ね９個と８個の２列に分けて山を作る。牌は裏向きでしかも２段重ねに置くため磁石の接着力を強くする必要があるので盤自体に磁気を持たせたうえ牌が取りやすいよう盤に凹凸を施したものとする。ゲ−ム卓が無く椅子対座等でゲ−ムする場合の処置は牌山盤の置き場所として膝上の大腿部の上にベルトで固定して使用する。牌山盤の固定方法は、大腿部へ膝上ベルトを掛けてベルト中央部のマジックテ−プ（登録商標）等へ貼り付けるため、牌山盤の裏面中央部にマジックテ−プ（登録商標）の一方を貼付しておく。なお、ベルトを使用できない場合は大腿部の衣類などへピン止めして固定するため牌山盤にピン止め用の穴を４箇所程度開けておく。４人分４個必要である。
（ハ）手持盤：手持盤は各人へ配牌される手持ち牌が１３個、ツモ牌が１個で、最大数１４個を横一列に並べで操作できる横幅を確保した盤とする。盤は上下左右操作の余裕幅を持った大きさとし磁気を有した牌が接着するよう軽く丈夫な薄手の鉄板等を用いる。また盤は接着した牌を簡単に剥離できるよう盤表面に凹凸等を施したものとし、なおかつ、手持ち牌やツモ牌の並べ替えを行うために指先で盤上を縦・横・斜め自在に滑るように考慮したものとする。４人分４個必要である。
（ニ）捨牌盤：捨牌盤は麻雀牌収納盤を兼ねるので牌３４個（総数１３６枚の４等分）並べ収納できる大きさを確保するのが前提であるが、捨牌と鳴き牌の総数は最大４０個程度となる状况もあり得るため必要な大きさ（縦１２０・横２００ミリ程度）とする。牌が取り扱い易いよう「手持盤」と同様に盤表面に凹凸等を施し形成したものである。ゲ−ム卓が無く椅子対座でゲ−ムする場合、捨牌盤の膝上大腿部への取り付け方法は牌山盤と同じである。４人分４個必要である。
（ホ）膝上ベルト：膝上ベルトはゲ−ム卓がなく椅子対座等でゲ−ムする場合、「牌山盤」・「捨牌盤」を膝上大腿部への固定用に使用する。ベルト幅は、「牌山盤」・「捨牌盤」をしっかり固定するため「牌山盤」・「捨牌盤」の大きさに見合った幅の広いベルトである。膝上ベルトには「牌山盤」・「捨牌盤」の下側に貼付したマジックテ−プ（登録商標）に対するもう一方のマジックテ−プ（登録商標）をベルト表面中央部へ貼付し、膝上ベルト自体も大腿部へ固定できるよう両端にマジックテ−プ（登録商標）を貼付する。４人分４個必要である。
（ヘ）点棒：点棒はゲ−ム上りの勝ち負けをやり取りする点棒で、１万点棒（４本）、５千点棒（８本）、１千点棒（３６本）、百点棒（４０本）の４種である。既存品と同様で少し小型なもの。
（ト）点棒収納袋：点棒収納袋は点棒が５０本程度入れられるもので、腰ベルト等へ下げられるようとめ紐付きとする。４人分４個必要である。
（チ）サイコロ：サイコロは小型のもので既存品と同様なもの。２個必要である。
（リ）麻雀具収納箱：麻雀具収納箱は麻雀具一式を収納する箱で既存品と同様なもの。
【図面の簡単な説明】
【０００８】
【図１】板状麻雀牌の斜視図である。
【図２】牌山盤の盤上へ麻雀牌を裏返し２段３個横並びした場合の牌山盤斜視図である。
【図３】手持盤の盤上へ麻雀牌を最大数１４個並べた場合の手持盤斜視図である。
【図４】捨牌盤の盤上へ捨牌９個と鳴き牌６個を並べた場合の捨牌盤斜視図である。
【図５】膝上ベルトで表面中央と両端（一方を表面もう一方を裏面）にマジックテ−プ（登録商標）を取り付けた膝上ベルトの平面図である。
【図６】点棒平面図である。
【図７】点棒収納袋平面図である。
【図８】サイコロ斜視図である。
【図９】麻雀具収納箱斜視図である。
【符号の説明】
【０００９】  １  表面印刷面
２  裏面マグネット面
３  磁石盤
４  牌山盤固定用マジックテ−プ（登録商標）（牌山盤裏面）
５  ピン止め穴
６  捨牌盤固定用マジックテ−プ（登録商標）（捨牌盤裏面）
７  牌山盤・捨牌盤固定用マジックテ−プ（登録商標）
８  ベルト固定用マジックテ−プ（登録商標）
９  ベルト固定用マジックテ−プ（登録商標）（ベルト裏面）
１０  一万点棒
１１  五千点棒
１２  千点棒
１３  百点棒
１４  とめ紐
【図１】
0003131784.tif 000003
【図２】
0003131784.tif 000004
【図３】
0003131784.tif 000005
【図４】
0003131784.tif 000006
【図５】
0003131784.tif 000007
【図６】
0003131784.tif 000008
【図７】
0003131784.tif 000009
【図８】
0003131784.tif 000010
【図９】
0003131784.tif 000011